(57)【要約】【課題】安価なラインセンサ型の原稿読取装置で電子ブックの表示画像を読み取ることができ，極めて有用な原稿読取装置あるいは画像形成装置を提供すること。【解決手段】ラインセンサを備え，このラインセンサによって搬送される原稿を読み取る原稿読取装置であって，電子ブックとの間で通信を行う通信手段と，読み取られる原稿が電子ブックである場合に，前記通信手段を介して電子ブックに表示画像の流し表示を行うよう指示する流し表示指示手段と，前記流し表示される電子ブックの画像を読み取る原稿読取手段とを備えてなる原稿読取装置として構成されてなる原稿読取装置あるいはそれを備えた画像形成装置。【選択図】図３
2012015699.tif 000002
【特許請求の範囲】
【請求項１】
ラインセンサを備え，このラインセンサによって搬送される原稿を読み取る原稿読取装置であって，
電子ブックとの間で通信を行う通信手段と，
読み取られる原稿が電子ブックである場合に，前記通信手段を介して電子ブックに表示画像の流し表示を行うよう指示する流し表示指示手段と，
前記流し表示される電子ブックの画像を読み取る原稿読取手段とを備えてなる原稿読取装置。
【請求項２】
前記電子ブックは，前記流し表示する原稿の端部に改ページ記号を挿入するものであり，当該原稿読取装置は，前記流し表示中の前記改ページ記号を読み取った場合に，読み取ったデータの改ページを行うものである請求項１に記載の原稿読取装置。
【請求項３】
前記流し表示における流しの方向を指定する流し方向指定手段を備え，
前記流し表示指示手段は，さらに，前記流し方向指定手段で指定された流し表示方向を電子ブックに指示するものである請求項１あるいは２のいずれかに記載の原稿読取装置。
【請求項４】
所定のフル画面表示指定手段を備え，
前記流し表示指示手段は，さらに，前記フル画面表示指定手段によってフル画面表示が指定されて時に，当該原稿読取装置における主走査方向の最大幅が流し表示される原稿の短手方向の幅となるように流し表示する原稿の方向と画像の大きさとを電子ブックに指示するものである請求項１〜３のいずれかに記載の原稿読取装置。
【請求項５】
前記読み取られる原稿の種類を判別する原稿種類判別手段を備え，該原稿種類判別手段が原稿の種類が電子ブックであると判断した場合に，流し表示指示手段が，前記通信手段を介して電子ブックに表示画像の流し表示を行うよう指示する請求項１〜４のいずれかに記載の原稿読取装置。
【請求項６】
前記請求項１〜５のいずれかに記載の原稿読取装置を備えた画像形成装置。
【発明の詳細な説明】
【技術分野】
【０００１】
本発明は，原稿読取装置及び該原稿読取装置を備えた画像形成装置に係り，特に，低価格で電子ブックに表示された原稿を高速で読み取ることのできる原稿読取装置及び画像形成装置に関するものである。
【背景技術】
【０００２】
従来，上記したような電子ブックの一例として，特許文献１に記載されたようなものが知られている。このような電子ブックは，電子情報を記憶する電子情報記憶手段と，前記電子情報記憶手段に記憶された電子情報を表示する表示手段とを少なくとも備えてなるものである。
上記のような電子ブックは，電子情報をそのページごとに表示できるように構成されている。電子情報は，嵩張らないので，これを使えば，ほぼ無制限に多くの情報を持ち歩くことができ，且つ大きい表示画面に画像などを表示できる。また電子ブックは，プレゼンテーションの手段としても優れている。
【０００３】
しかし電子データは，上記電子ブックを持たないユーザには見ることができないので，多くの人に電子情報を見せようとすると，電子ブックに表示された画像を紙に印刷できるようにすることが望ましく，そのために，電子ブックを原稿として印刷することのできる画像形成装置が，特許文献２に記載されている。
【０００４】
一方，原稿読取装置あるいは原稿読取装置を備えた画像形成装置として，光検出素子を直線状に並べたＣＣＤなどのラインセンサを備え，上記ラインセンサの走査方向に直角の方向（副走査方向）に原稿を搬送して，原稿を１ラインづつ読み取るラインセンサ型の原稿読取装置は，大きい原稿載置面積を必要とせず，かつ光学系を簡素化できるなどのことから低価格の原稿読取装置として普及している。
【先行技術文献】
【特許文献】
【０００５】
【特許文献１】特表２０００−５０１２１４号公報
【特許文献２】特開２００８−１４１５９０号公報
【発明の概要】
【発明が解決しようとする課題】
【０００６】
このようなラインセンサ型の原稿読取装置を用いて電子ブックを読み取ることができれば，きわめて便利である。
しかしながら，前記特許文献２に記載の画像形成装置は，電子ブックを印刷するということについては便利であるものの，電子ブック自体を搬送することは困難であるという常識から，電子ブックをコンタクトガラス上に載置して，即ち電子ブックを静止させた状態で光学系を移動させる形式の原稿読取装置を採用している。そのため，このような公知の原稿読取装置は高価であり，普及に限界がある。
従って本発明は，上記した従来技術における問題点を解消するためになされたものであり，電子ブックを原稿として用いた場合において，電子ブック自体は静止させたままで，ラインセンサ形の原稿読取装置で電子ブックが表示する原稿の読取を可能な原稿読取装置あるいはそのような原稿読取装置を備えた画像形成装置を提供することを目的とする。
【課題を解決するための手段】
【０００７】
上記目的を達成するために，本発明に係る原稿読取装置は，
ラインセンサを備え，このラインセンサによって搬送される原稿を読み取る原稿読取装置であって，
電子ブックとの間で通信を行う通信手段と，
読み取られる原稿が電子ブックである場合に，前記通信手段を介して電子ブックに表示画像の流し表示を行うよう指示する流し表示指示手段と，
前記流し表示される電子ブックの画像を読み取る原稿読取手段とを備えてなる原稿読取装置である。
本発明では，上記のように電子ブックを搬送することなく，電子ブックに表示された原稿の表示画像を流し表示することで，紙原稿を搬送するのと同じ現象を生じさせて電子ブックに表示された表示画像を読み取ることができる。従って，安価なラインセンサ型の原稿読取装置で電子ブックの表示画像を読み取ることができ，極めて有用な原稿読取装置を提供することができる。
上記流し表示は，一種の周知のオートスクロール表示と同義であるので，その説明はここでは省略される。
このような電子ブックの表示画像を読み取るに当たっては，前記流し表示する原稿の端部に改ページ記号を挿入し，当該原稿読取装置側で，前記流し表示中の前記改ページ記号を読み取って，読み取ったデータの改ページを行うことが，実用的である。
また，電子ブックを原稿読取装置にセットする場合，電子ブックをコンタクトガラスに対して縦置きした場合と横置きした場合では，電子ブック流し表示の方向を切替えないと実際の読取が行い得ない場合が生じる。
そのため，本発明においては，前記流し表示における流しの方向を指定する流し方向指定手段を備え，前記流し表示指示手段は，さらに，前記流し方向指定手段で指定された流し表示方向を電子ブックに指示するようにしている。
さらに，できるだけ読取の解像度をあげるためには，できるだけ大きい画像の形で原稿を読み取ることが望ましい。
そのため，コンタクトガラスに対して電子ブックを縦置きすると共に，電子ブックの長辺に原稿像の短辺を合わせるフル画面表示を電子ブックに指定するフル画面表示指定手段を備え，前記流し表示指示手段が，さらに，前記フル画面表示指定手段によってフル画面表示が指定された時に，当該原稿読取装置における主走査方向の最大幅が流し表示される原稿の短手方向の幅となるように流し表示する原稿の方向と画像の大きさとを電子ブックに指示するようにして，もっとも大きい原稿画像を生成して，高い解像度の原稿読取を行うようにしている。
さらにまた，前記読み取られる原稿の種類を判別する原稿種類判別手段を備え，該原稿種類判別手段が原稿の種類が電子ブックであると判断した場合に，流し表示指示手段が，前記通信手段を介して電子ブックに表示画像の流し表示を行うよう指示する原稿読取装置が実際的である。
前記した原稿読取装置は，複写機，ファクシミリなど，あるいはこれらを複合的に備えた複合機としての画像形成装置に適用可能である。
【発明の効果】
【０００８】
本発明に係る原稿読取装置は，前記したように，ラインセンサを備え，このラインセンサによって搬送される原稿を読み取る原稿読取装置であって，電子ブックとの間で通信を行う通信手段と，読み取られる原稿が電子ブックである場合に，前記通信手段を介して電子ブックに表示画像の流し表示を行うよう指示する流し表示指示手段と，前記流し表示される電子ブックの画像を読み取る原稿読取手段とを備えてなる原稿読取装置として構成されているので，安価なラインセンサ型の原稿読取装置で電子ブックの表示画像を読み取ることができ，極めて有用な原稿読取装置あるいは画像形成装置を提供することができる。
【図面の簡単な説明】
【０００９】
【図１】本発明の一実施形態に係る原稿読取装置Ｘ及び電子ブックの制御系等を示すブロック図。
【図２】電子ブックの一例を示す斜視図。
【図３】電子ブックについての原稿読取手順を示すフローチャート。
【図４】原稿読取部の構成を示す断面図（原稿搬送部が閉じている状態）。
【図５】原稿読取部の構成を示す断面図（原稿搬送部が開いている状態）。
【図６】コンタクトガラス，電子ブック，原稿画像及びその流し表示方向を示す図。
【発明を実施するための形態】
【００１０】
以下，添付した図面を参照して，本発明を具体化した実施形態について説明し，本発明の理解に供する。
まず本発明の一実施形態に係る画像形成装置Ｘと，原稿の一例である電子ブックＥＢについて，その制御系統を示す図１を参照して説明する。
図１に示すように画像形成装置Ｘの制御系統は，ＣＰＵなどからなる制御部１を中心に構成される。
上記制御部１は，所定のバスなどを経由して操作表示部２，データ通信部４，記憶部５ａ，５ｂ，機械的構成要素などを駆動するコントロール部６などと接続されている。
コントロール部６は，原稿読取部３，画像処理部７，画像印刷部８などと接続されており，これらを制御する。
操作表示部２は，タッチパネルなどの入力部を兼ねた表示部あるいはこれとテンキーそのほかの入力キーを備えて構成され，種々のデータや，画像形成装置Ｘの状態などの表示と，種々のデータの入力などが可能である。後記する電子ブックＥＢを読み取るか，紙原稿を読み取るかといった原稿の種類などは，この操作表示部２から入力される。
【００１１】
原稿読取部３は，図４に示すように，原稿台１０に載置された紙原稿Ｄを，その一番上層の原稿から順に分離送りローラ１２によって前方の反転ローラ１４に向けて送り出する。送り出された原稿Ｄは，反転ローラ１４の表面を通過して約１８０度搬送方向を変え，原稿排紙トレイ１６に向け送り出される。
前記反転ローラ１４の下方には，光源Ｌ，ミラーＭ１，Ｍ２，Ｍ３，画像検出器２０などを備えた光学系２７が設けられている。光源Ｌから発した光は，反転ローラ１４に巻きついて送られる原稿Ｄに照射され，原稿Ｄから反射された原稿像に対応する光線が，ミラーＭ１，Ｍ２，Ｍ３を経てＣＣＤなどの画像検出器２０に至る。２２は，光線を前記画像検知部２０に集光させるためのレンズである。
前記原稿台１０の原稿Ｄを分離送りローラ１２に送り出す直前には，原稿ガイド（不図示）が設けられており，載置された原稿の送り位置を，搬送される原稿の主走査方向における読取最大幅の中央に設定する。
原稿Ｄが紙原稿の場合には，図４に示すように分離送りローラ１２や反転ローラ１４などを備えた原稿搬送部１８がコンタクトガラス２４上に閉じられた状態で，原稿の搬送が行われ，原稿の搬送と同時に画像検出器２０による原稿の読み取りが行われる。即ち，コンタクトガラス２４上を原稿Ｄが搬送されていくことで原稿画像がコンタクトガラス２４上で連続的に図の左から右に流れる状態が作られ，これにより原稿Ｄがラインセンサの一例である直線状の画像検出器２０によって連続的に読み取られる。
【００１２】
データ通信部４は，無線接続された外部の電子ブックＥＢと無線通信を行って，電子ブックＥＢの制御部１Ａに指示を送り，制御部１Ａを介して電子ブックＥＢを操作する。
記憶部５ａは，ＲＯＭなどから構成され，画像形成装置Ｘの制御プログラムなどを記憶する。記憶部５ｂは，原稿読取部３から入力された画像データのほか，操作表示部２から入力された種々のデータを一時的に記憶するＲＡＭによって構成されている。後記する操作表示部２から入力された原稿の種類などのデータも，この記憶部５ｂで記憶される。
コントロール部６は，原稿Ｄが電子ブックであると判断された場合に，後記する手順によって制御部１の指示に従って原稿読取部３や画像印刷部８を駆動して，原稿の読み取り及び印刷作業を実行する。
【００１３】
電子ブックＥＢは，前記特許文献１に開示されたものと同様であり，制御プログラムや表示する原稿データを記憶する記憶部２６ａと，前記記憶部２６ａに記憶された電子情報を表示する液晶表示部ＬＣＤ，液晶表示部ＬＣＤを駆動する液晶表示部駆動部ＬＣＤＣ，画像形成装置Ｘのデータ通信部４と通信を行う通信部２８，電子データを一時的に記憶する記憶部２６ｂとを少なくとも備えている。このような電子ブックＥＢの一例の外観が図２に示されている。
このような電子ブックＥＢに表示された画像を読み取るときには，図５に示すように原稿搬送部１８を開いて，コンタクトガラス２４を露出させ，電子ブックＥＢの表示部を裏向けにして（コンタクトガラス２４の方に向け），コンタクトガラス２４に対向させて載置する。その上で，光源Ｌ，レンズ２２，ミラーＭ１，Ｍ２，Ｍ３，画像検出器２０を含む光学系２７が停止した状態で，電子ブックＥＢが表示する原稿のページを紙原稿を搬送するように図５中の左から右へ流し表示させる。
ここに流し表示とは，周知のオートスクロールと同じ機能であり，一定の速度で表示された原稿画像を表示画面上で，一定の方向に移動させることをいう。これは電子的に画像を移動させることであり，現実の紙原稿が前記のようにコンタクトガラス２４上を搬送されるのと，原稿の読み取りに関しては同じ効果を生じる。
このようにして電子ブックＥＢに表示された原稿像を画像検出器２０で連続的に検出することで，原稿１ページ分を検出する。ページの変わり目は後記する改ページ記号を検出することで検知し，改ページを実行して，複数ページを順次読み取り，原稿データとして記憶部５ｂに記憶する。読み取られた原稿データに基づいて，画像印刷部８が印字処理を行う。
【００１４】
上に説明したように，この画像形成装置Ｘは，原則的に前記コンタクトガラス２４上の紙原稿Ｄを副走査方向に搬送しつつ読み取ることを目的としているが，同時に，コンタクトガラス２４上に置かれた原稿が，電子ブックＥＢである場合には，電子ブックＥＢの表示部に表示された画像を流し表示させることで，搬送される紙原稿を読み取るのと同じ原理で原稿像を移動させ，電子ブックＥＢの表示画像を読み取って記憶し，また必要に応じて印字するように構成されている。
【００１５】
本発明においては，流し表示を行う場合の，流し表示の方向，コンタクトガラス２４に対する電子ブックＥＢの配置の方向，電子ブックＥＢの画面Ｍに対する原稿像の方向が，重要な要素である。ここに，流し表示の方向とは，原稿を長手方向（縦方向）に送るか，短手方向（横方向）おくるかについての指示である。
また，フル画面表示とは，画像を電子ブックＥＢの表示部全体に拡大して表示するかどうかについての指示である。
図６は，電子ブックＥＢとその表示画面に表示された原稿の方向について示している。例えば（ａ）は，電子ブックＥＢが，その長手方向を，コンタクトガラス２４の長手方向に沿って置いた状態を示す，これを縦置きと記す。また（ｂ）のように，コンタクトガラス２４に対して電子ブックＥＢの長手方向を直角に置くことも出来る。これを横置きと記す。
（ａ），（ｂ）は，１ページ分の原稿像Ｄａが，画面Ｍ全体に表示されている場合であるが，（ｃ），（ｄ）は，ブック原稿のように左右見開きの原稿像Ｄｂが，画面Ｍ全体に表示されている場合である。（ａ），（ｃ）は縦置き，（ｂ），（ｄ）は横置きを示している。
縦置き（（ａ），（ｃ））の場合，原稿像Ｄａは矢印３０ａで示されるような方向に流し表示される。横置き（（ｂ），（ｄ））の場合は，矢印３０ｂの方向に流し表示される。
具体的には，例えば，電子ブックＥＢの表示画面ＭがＡ４であり，そこに表示されている原稿像Ｄａ，ＤｂもＡ４あるいはほぼＡ４である場合，コンタクトガラス２４に対して電子ブックＥＢを縦置きにしても，横置きにしても，読み取り可能であるが，縦置きの方が，画像検知部２０の全体を使うことが出来るので，原稿の解像度が向上する。
【００１６】
本発明のように，原稿像を流し表示する場合，上記（ａ）〜（ｄ）に示したような画面Ｍの大きさよりも大きいサイズの原稿像を流し表示することができる。その場合，上記のように解像度を向上させるようにするためには，原稿像の流し方向の設定が重要である。
即ち，この発明では，例えば図６（ｅ）に示すように，画面ＭがＡ４であるのに対して，Ａ３の原稿像Ｄｃのように，画面Ｍからはみ出した原稿画像を流し表示することができる。これは電子ブックＥＢをコンタクトガラス２４に対して縦置きすることと，さらに原稿像Ｄｃの方向が，原稿像Ｄｃの短辺を画面Ｍの長辺に合わせるようするという２つの条件が成り立つときに成立する。本発明では，このコンタクトガラスに対する電子ブックＥＢを置く方向（縦置き）及び電子ブックＥＢに対する原稿像Ｄｃの方向（電子ブックＥＢの長辺に原稿像Ｄｃの短辺を合わせること）が成立する表示の仕方を「フル画面表示」と呼ぶことにする。
【００１７】
このような電子ブックＥＢの読取処理を行う時の制御部１の処理手順について，図３を参照して説明する。
図中，Ｓ１，Ｓ２，…は，処理手順（ステップ）の識別番号である。
処理を行うに当って，当該画像形成装置Ｘと電子ブックＥＢとは，ブルーツース，無線ＬＡＮなどの所定の無線接続あるいは有線接続が確立しているものとする。記憶部５ａには，原稿として指定された電子ブックのメーカー及び製品番号などと，それに対応する光源Ｌによる露光特性などの諸情報が記憶されているものとする。後述の流し表示における流し速度は，紙原稿の搬送速度と同一に設定されている。また，電子ブックＥＢは，記憶した原稿が複数ページにわたるものである場合には，予めページが切り替わる場所に画像形成装置側でも理解できる改ページ記号を挿入しておく。
【００１８】
この処理は，コンタクトガラス２４を覆う原稿カバー（不図示）の開閉を検出する周知の原稿搬送部開閉スイッチ（不図示）が，ＯＦＦ，即ち，原稿搬送部１８が開かれたことを検出したときに開始される（Ｓ１０）。
【００１９】
原稿搬送部１８が開かれると，制御部１は，操作表示部２に設けられた入力部から，原稿の種類，流し表示の方向，フル画面表示か，否かなどを入力するように求めるコメントを操作表示部２に表示する（Ｓ２０）。
図示はしないが，操作表示部２には，原稿の種類のボタン，流し表示の方向を示すボタン，フル画面表示か，否かの入力用ボタンが表示されており，ユーザがそれらのボタンを押すことで，電子ブックＥＢが表示する原稿の種類，流し表示の方向，フル画面表示か否かが入力される。
ここに設けられている原稿の種類ボタンとしては，原稿が，たとえば，紙原稿か電子ブックかを選択的に入力するボタンと，電子ブックが選択された場合には，既存の電子ブックのメーカー名と型番（製品名でもよい）が表示されるようにしたものが一般的に考えられる。
【００２０】
ユーザは，上記Ｓ２０で表示されたコメントに従って原稿の種類を表示するボタン，電子ブックＥＢに流し表示を行うか否かを切り替えるボタン，及び，電子ブックＥＢをフル画面表示するか否かのボタンを押す。
次に制御部１は，押された原稿種類のボタンから，原稿が電子ブックか否かを判断する（Ｓ３０）。
このように，制御部１が実行する読み取られる原稿の種類を判別する手順が，原稿種類判別手段の一例である。
【００２１】
原稿が電子ブックでないと判断された場合（Ｓ３０でＮＯ），即ち，紙原稿のボタンが押された場合には，通常の紙原稿についての読取動作が実行される（Ｓ３５）。
原稿が電子ブックである場合（Ｓ３０でＹＥＳ）には，制御部１は，前記データ通信部４を介して電子ブックＥＢに表示画像の流し表示を行うよう指示する。この指示を行う処理を実行するのが，本発明における流し表示指示手段の一例である。即ち，原稿が電子ブックである場合（Ｓ３０でＹＥＳ）には，制御部１は，流し表示の方向を示すボタン，フル画面表示か，否かの入力用ボタンが押下されたかどうかの判断に従って，流し表示の方向の設定，フル画面表示を行うか否かの設定を行い，これらの設定は，記憶部５ｂに記憶される（Ｓ４０，Ｓ５０）。
上記のようにユーザによってフル画面表示が指定されると，制御部１は，コンタクトガラス２４に対して電子ブックＥＢが縦置きされていると判断すると共に，電子ブックＥＢの長辺に原稿像の短辺を合わせるフル画面表示を電子ブックＥＢに指示する。このような指示を行うのが，表示指示手段の一例である。
これらの設定処理が行われると，制御部１は，データ通信部４，電子ブックＥＢの通信部２８を介して電子ブックＥＢの制御部１Ａと交信し，電子ブックＥＢをスタンバイ状態，即ち画像形成装置Ｘ側でコピー開始を知らせるコピーキーが押されたら，原稿画像の流し表示を開始するための準備状態に移行させる（Ｓ６０）。
【００２２】
このようにスタンバイが完了した後に画像形成装置Ｘ側のコピーキーが押されたという信号が入力される（Ｓ７０でＹｅｓ）と，制御部１は，電子ブックＥＢ側の制御部１Ａにコピー開始信号を送る。
これに応じて，電子ブックＥＢ側の制御部１Ａは，電子ブックＥＢの流し表示処理を開始する。これに同期して，画像形成装置Ｘ側の原稿読取部３は，原稿読取動作を開始する(Ｓ８０)。
前記したように，この実施形態では，電子ブックＥＢにおける流し表示の流し速度は，画像形成装置Ｘにおける紙原稿の送り速度と一致しているので，紙原稿を走査するのと同様に，電子ブックＥＢの表示画像が走査され，読み取られる。
【００２３】
流し表示及び読取動作の途中で，原稿内に改ページ記号が検出された場合（Ｓ９０でＹｅｓ）には，電子ブックＥＢ側で原稿の改ページを行って，次の原稿の頭から流し表示を行うと共に画像形成装置Ｘ側で読取データの改ページを行って，読取を続行する（Ｓ１００）。
流し表示及び読取動作の途中で，原稿がなくなった（ページなし）ことが電子ブックＥＢ側の制御部１Ａによって検出された場合（Ｓ１１０でＹｅｓ）には，制御部１Ａはページなし信号を画像形成装置Ｘ側の制御部１に送る。これによって，流し表示及び読取動作が終了する（ＥＮＤ）。
ページがまだある場合には，Ｓ８０に戻って流し表示と読み取り動作を続行する。
画像形成装置Ｘ側で，読み取った原稿についてコピー動作を行う場合には，読取動作と平行して，あるいは読取終了後に得られた原稿データに従って画像形成動作が行われる。
【産業上の利用可能性】
【００２４】
本発明は，スキャナなどの原稿読取装置に適用可能であるばかりか，このような原稿読取装置を備えた複写機，ファクシミリなどの画像形成装置，あるいはこれらの機能とスキャナ機能とを備えた複合機としての画像形成装置などに適用可能である。
【符号の説明】
【００２５】
１…制御部（画像形成装置側）
１Ａ…制御部（電子ブック側）
ＤＢ…電子ブック
Ｄ…原稿
Ｍ…画面
Ｌ…光源
Ｍ１〜Ｍ３…ミラー
２…操作表示部
３…原稿読取部
５ａ，５ｂ，２６ａ，２６ｂ…記憶部
８…画像印刷部
２０…画像検知部
１６…光検出部
１８…原稿搬送部
２２…レンズ
２４…コンタクトガラス
２７…光学系
【図１】
2012015699.tif 000003
【図２】
2012015699.tif 000004
【図３】
2012015699.tif 000005
【図４】
2012015699.tif 000006
【図５】
2012015699.tif 000007
【図６】
2012015699.tif 000008